(57)【特許請求の範囲】
【請求項１】
循環ポンプ（Ｐ２）の駆動によって送られてくる高温水を浴槽に供給する温水供給手段（５３）と、
利用者が選択した前記循環ポンプの駆動を伴う運転期間中に、前記温水供給手段が高温水供給状態であることを報知し続ける報知手段（７１，７３）と、
前記温水供給手段が高温水供給状態であるか否かを前記循環ポンプが駆動しているか否かによって判定する制御部（６）と、
を備え、
前記高温水供給状態が、前記浴槽に温水を張るお湯張り運転状態である、
給湯装置（１）。
【請求項２】
循環ポンプ（Ｐ２）の駆動によって送られてくる高温水を浴槽に供給する温水供給手段（５３）と、
利用者が選択した前記循環ポンプの駆動を伴う運転期間中に、前記温水供給手段が高温水供給状態であることを報知し続ける報知手段（７１，７３）と、
前記温水供給手段が高温水供給状態であるか否かを前記循環ポンプが駆動しているか否かによって判定する制御部（６）と、
を備え、
前記高温供給状態が、前記浴槽に高温水を足す高温足し湯運転状態である、
給湯装置（１）。
【請求項３】
前記報知手段は、表示部（７１）を有し、
前記表示部は、前記循環ポンプの駆動を伴う運転期間中に前記温水供給手段が前記高温水供給状態であることを表示し続ける、
請求項１又は請求項２に記載の給湯装置（１）。
【請求項４】
前記報知手段は、音発生部（７３）を有し、
前記音発生部は、前記循環ポンプの駆動を伴う運転期間中に前記温水供給手段が前記高温水供給状態であることを知らせる第１報知音を発生し続ける、
請求項１から請求項３のいずれか１項に記載の給湯装置（１）。
【請求項５】
前記報知手段は、前記浴槽が設けられる浴室に設置される浴室リモコン（７）に搭載される、
請求項１から請求項４のいずれか１項に記載の給湯装置（１）。
【請求項６】
前記高温水供給状態は、前記浴槽の温水を再び加熱する追い焚き運転状態をさらに含む、
請求項１から請求項５のいずれか１項に記載の給湯装置（１）。
【発明の詳細な説明】
【技術分野】
【０００１】
所定温度以上の高温水が出ることを利用者に報知する給湯装置に関する。
【背景技術】
【０００２】
従来、表示や音声によって追い焚き運転などの開始時に所定温度以上の高温水が出ることを報知する貯湯式給湯装置がある（特許文献１参照）。
【特許文献１】特開２００６−３４９２２０号公報
【発明の開示】
【発明が解決しようとする課題】
【０００３】
しかしながら、特許文献１の技術では、高温水の供給開始時に、高温水が出ることを報知するだけであるため、例えば、報知された後に浴槽に入る場合には、高温水がまだ出ている恐れがあり、利用者の安全を損なう可能性がある。
【０００４】
本発明では、利用者が浴槽をより安全に利用できる給湯装置を提供することにある。
【課題を解決するための手段】
【０００５】
第１発明に係る給湯装置は、温水供給手段と、報知手段と、制御部とを備える。温水供給手段は、循環ポンプ（Ｐ２）の駆動によって送られてくる高温水を浴槽に供給する。報知手段は、利用者が選択した循環ポンプの駆動を伴う運転期間中に、温水供給手段が高温水供給状態であることを報知し続ける。制御部は、温水供給手段が高温水供給状態であるか否かを循環ポンプが駆動しているか否かによって判定する。さらに、高温水供給状態とは、浴槽に温水を張るお湯張り運転状態のことである。
【０００６】
本発明の給湯装置は、お湯張り運転状態のように浴槽に温水を供給する温水供給手段が浴槽に高温水を流し込む可能性がある状態（すなわち高温水供給状態）である場合に、循環ポンプの駆動を伴う運転期間中ずっと高温水供給状態であることを、例えば「高温」と表示させることにより報知し続ける。
【０００７】
したがって、利用者は、高温水供給状態である循環ポンプの駆動を伴う運転期間中に、高温水供給状態であることを常に知ることができる。このため、利用者は、高温水供給状態の際に温水供給手段に近づかないようにすることができ、安全に浴槽を利用できる。
【０００８】
第２発明に係る給湯装置は、温水供給手段と、報知手段と、制御部とを備える。温水供給手段は、循環ポンプ（Ｐ２）の駆動によって送られてくる高温水を浴槽に供給する。報知手段は、利用者が選択した循環ポンプの駆動を伴う運転期間中に、温水供給手段が高温水供給状態であることを報知し続ける。制御部は、温水供給手段が高温水供給状態であるか否かを循環ポンプが駆動しているか否かによって判定する。さらに、高温水供給状態とは、浴槽に高温水を足す高温足し湯運転状態のことである。
【０００９】
本発明の給湯装置は、高温足し湯運転状態のように浴槽に温水を供給する温水供給手段が浴槽に高温水を流し込む可能性がある状態（すなわち高温水供給状態）である場合に、循環ポンプの駆動を伴う運転期間中ずっと高温水供給状態であることを、例えば「高温」と表示させることにより報知し続ける。
【００１０】
第３発明に係る給湯装置は、第１発明または第２発明に係る給湯装置であって、報知手段は、表示部を有する。表示部は、循環ポンプの駆動を伴う運転期間中に温水供給手段が高温水供給状態であることを表示し続ける。
【００１１】
本発明の給湯装置は、循環ポンプの駆動を伴う運転期間中に、温水供給手段が高温水供給状態であることを表示部に表示させる。したがって、利用者は、その運転期間中に、表示部を視認することで温水供給手段が高温水供給状態であることを視覚的に判断でき、温水供給手段に近づくことを防ぐことができる。このため、利用者は、循環ポンプの駆動を伴う運転期間中において、温水供給手段に近づく可能性のある場合に表示部を見るという行為のみを行えば、温水供給手段が高温水供給状態であることを確認することができる。
【００１２】
第４発明に係る給湯装置は、第１発明から第３発明のいずれかに係る給湯装置であって、報知手段は、音発生部を有する。音発生部は、循環ポンプの駆動を伴う運転期間中に温水供給手段が高温水供給状態であることを知らせる第１報知音を発生し続ける。
【００１３】
本発明の給湯装置は、温水供給手段が高温水供給状態であることを音発生部に第１報知音を発生させる。したがって、利用者は、循環ポンプの駆動を伴う運転期間中に、温水供給手段が高温水供給状態であることを聴覚的に判断でき、温水供給手段に近づくことを防ぐことができる。このため、利用者は、その運転期間中において、特に温水供給手段に近づくときに意識しなくとも温水供給手段が高温水供給状態であることを確認することができる。
【００１４】
第５発明に係る給湯装置は、第１発明から第４発明のいずれかに係る給湯装置であって、報知手段は、浴槽が設けられる浴室に設置される浴室リモコンに搭載される。
【００１５】
本発明の給湯装置では、報知手段が浴室リモコンに搭載される。したがって、使用者は、浴室を利用している際に、温水供給手段が高温水供給状態であることを確認できる。
【００１６】
第６発明に係る給湯装置は、第１発明から第５発明のいずれかに係る給湯装置であって、高温水供給状態は、浴槽の温水を再び加熱する追い焚き運転状態をさらに含む。
【００１７】
本発明の給湯装置では、高温水供給状態が追い焚き運転である。なお、ここにいう「追い焚き運転」とは、浴槽に貯められた温水を再び温める運転のことである。したがって、本発明の給湯装置は、追い焚き運転の際に、温水供給手段が高温水供給状態であることを報知し続けることができる。このため、利用者は、追い焚き運転の際に、温水供給手段が高温水供給状態であることを確認できる。
【発明の効果】
【００１８】
第１発明に係る給湯装置では、利用者は、お湯張り運転のような高温水供給状態である循環ポンプの駆動を伴う運転期間中に、高温水供給状態であることを常に知ることができる。このため、利用者は、高温水供給状態の際に温水供給手段に近づかないようにすることができ、安全に浴槽を利用できる。
【００１９】
第２発明に係る給湯装置では、利用者は、高温足し湯運転のような高温水供給状態である循環ポンプの駆動を伴う運転期間中に、高温水供給状態であることを常に知ることができる。このため、利用者は、高温水供給状態の際に温水供給手段に近づかないようにすることができ、安全に浴槽を利用できる。
【００２０】
第３発明に係る給湯装置では、循環ポンプの駆動を伴う運転期間中に、温水供給手段が高温水供給状態であることを視覚的に判断でき、温水供給手段に近づくことを防ぐことができる。
【００２１】
第４発明に係る給湯装置では、利用者は、循環ポンプの駆動を伴う運転期間中に、温水供給手段が高温水供給状態であることを聴覚的に判断でき、温水供給手段に近づくことを防ぐことができる。特に、利用者は、温水供給手段に近づくときに意識しなくとも温水供給手段が高温水供給状態であることを確認することができる。
【００２２】
第５発明に係る給湯装置では、使用者は、浴室を利用している際に、温水供給手段が高温水供給状態であることを確認できる。
【００２３】
第６発明に係る給湯装置では、追い焚き運転の際に、温水供給手段が高温水供給状態であることをその運転期間中に報知し続けることができる。このため、利用者は、追い焚き運転の際に、温水供給手段が高温水供給状態であることを確認できる。
【発明を実施するための最良の形態】
【００２４】
以下、図面に基づいて、本発明に係る給湯装置１の実施形態について説明する。
【００２５】
＜ヒートポンプ給湯機の構成＞
図１は、本発明の一実施形態に係る給湯装置１の概略構成図である。給湯装置１は、ＣＯ２冷媒を用いて蒸気圧縮式の冷凍サイクル運転を行うことによって、水道水を加熱し家庭の浴槽５などに温湯を供給する装置である。給湯装置１は、主として、温湯を貯める貯湯タンク３１を有する貯湯ユニット３と、冷媒回路２０を有するヒートポンプユニット２とを備えている。
【００２６】
（１）貯湯ユニット
図２は貯湯ユニット３の概略図である。貯湯ユニット３は、主に、貯湯タンク３１と、加熱循環路３９と、給湯出湯口３３から給湯接続口４１または風呂循環往口４４までの給湯配管５１と、追い焚き循環路４７とで構成されている。
【００２７】
（貯湯タンクおよび加熱循環路）
貯湯タンク３１は、底壁に給水口３２が設けられ、上壁に給湯出湯口３３と追い焚き出湯口３４とが設けられる。貯湯タンク３１は、給水口３２からに水道水が供給され、給湯出湯口３３から貯湯タンク３１に貯まった高温の温湯を出湯し、浴槽５などに供給可能である。給水口３２には、水道水を供給する給水用流路３８が接続される。また、貯湯タンク３１の底壁には、取水口３５が開設され、側壁（周壁）の上部に給湯口３６が開設されている。取水口３５と給湯口３６とは、加熱循環路３９に接続されており、加熱循環路３９には、循環ポンプＰ１と、後述するヒートポンプユニット２の水熱交換器２２とが接続されている。
【００２８】
また、貯湯タンク３１には、周壁に上下方向の上から貯湯タンク３１内の各層の温湯の温度を検出する残湯５０リットル温度センサＴ４、残湯１００リットル温度センサＴ５、残湯１９０リットル温度センサＴ６、残湯２４０リットル温度センサＴ７、および残湯３１０リットル温度センサＴ８が設けられる。さらに、貯湯タンク３１の最上部（つまり０リットルの位置）に、最上部の温湯の温度を検出する缶体上温度センサＴ３が設けられる。本実施形態において、残湯５０リットル温度センサＴ４、残湯１００リットル温度センサＴ５、残湯１９０リットル温度センサＴ６、残湯２４０リットル温度センサＴ７、残湯３１０リットル温度センサＴ８、および缶体上温度センサＴ３は、サーミスタからなる。
【００２９】
加熱循環路３９は、主に、循環ポンプＰ１と、三方弁Ｖ２とで構成され、ヒートポンプユニット２の水熱交換器２２と熱交換路４９により接続されている。
【００３０】
循環ポンプＰ１は、貯湯タンク３１の取水口３５の近傍に接続されている。また、循環ポンプＰ１の吐出側には、水熱交換器２２が接続されている。循環ポンプＰ１は、貯湯タンク３１内の未加熱水を取水口３５から加熱循環路３９に流出させ、水熱交換器２２内の熱交換路４９に未加熱水を流入させる。水熱交換器２２に流入された未加熱水は、水熱交換器２２内の熱交換路４９において加熱され、給湯口３６から貯湯タンク３１内に返流される。また、加熱循環路３９には、熱交換路４９の下流側（具体的には、水熱交換器２２と三方弁Ｖ２との間）に出湯温度センサＴ１が設けられ、熱交換路４９の上流側（具体的には、循環ポンプＰ１と水熱交換器２２との間）に入水温度センサＴ２が設けられる。出湯温度センサＴ１と入水温度センサＴ２とは、サーミスタからなる。
【００３１】
三方弁Ｖ２は、加熱循環路３９内の給湯口３６側に設けられ、貯湯タンク３１の底壁に設けられる返水口３７に接続されるバイパス用流路５０と接続されている。このため、本実施例では、バイパス用流路５０を温湯が流れずに、取水口３５から加熱循環路３９に入った水（温湯）が加熱循環路３９を流れて給湯口３６から貯湯タンク３１に戻る通常運転と、取水口３５から加熱循環路３９に入った水（温湯）が加熱循環路３９を流れて三方弁Ｖ２を介し、バイパス用流路５０を通過して、返水口３７から貯湯タンク３１に戻るバイパス運転とを行うことができる。
【００３２】
（給湯配管）
給湯配管５１は、貯湯タンク３１の給湯出湯口３３に接続されており、浴槽５に温湯を供給する浴槽湯はり系統５１ａとそれ以外に温湯を供給する給湯系統５１ｂとの２系統に分岐されている。
【００３３】
浴槽湯はり系統５１ａでは、給湯出湯口３３から吐出された温湯は、湯はり混合弁Ｖ４により水道水と混合され、湯はり電磁弁Ｖ５および風呂循環ポンプＰ２を介して風呂循環往口４４から浴槽５に供給される。湯はり混合弁Ｖ４は、利用者が設定した温度になるように温湯と水道水との混合比率を調整している。湯はり電磁弁Ｖ５は、利用者が浴室リモコン7により浴槽５に湯を貯める「湯はり指令」を出したときに、開になり浴槽５に温湯を供給する。なお、ここに言う「湯はり指令」とは、浴槽５に温湯を自動的に供給する際に後述する制御部６が出す指令のことである。なお、湯はり電磁弁Ｖ５の下流側には、湯はり流量センサ４２と湯はり温度センサＴ１０とが設けられている。湯はり流量センサ４２は、湯はりに使用した温湯の流量を検知できる流量計である。また、湯はり温度センサＴ１０は、湯はりに使用した温湯の温度を検知できる温度センサであり、サーミスタからなる。なお、浴槽湯はり系統５１ａは、後述する浴槽循環路４３の往管部と接続されており、風呂循環ポンプＰ２以降の管路は浴槽循環路４３の往管部の管路と共有されている。
【００３４】
給湯系統５１ｂでは、給湯出湯口３３から吐出された温湯は、給湯混合弁Ｖ３により水道水と混合され、給湯接続口４１から家庭の給湯蛇口やシャワーなどに接続されている給湯管５２に供給されている。給湯系統５１ｂでは、さらに、給湯混合弁Ｖ３の下流側に、給湯温度センサＴ９と給湯流量センサ４０とが設けられている。給湯温度センサＴ９は、給湯蛇口やシャワーなどにより使用される温湯の温度を検知できる温度センサであり、サーミスタからなる。また、給湯流量センサ４０は、給湯蛇口やシャワーなどにより使用される温湯の流量を検知できる流量計である。
【００３５】
（追い焚き循環路）
追い焚き循環路４７には、熱交循環ポンプＰ３と追い焚き熱交換器４６とが接続されている。追い焚き循環路４７は、貯湯タンク３１の上部に開設されている追い焚き出湯口３４と貯湯タンク３１の下部に開設されている追い焚き返湯口４８とに接続されている。また、浴槽５に接続される浴槽循環路４３が設けられており、浴槽循環路４３には風呂循環ポンプＰ２と追い焚き熱交換器４６とが接続されている。また、貯湯ユニット３には、浴槽循環路４３の端部（浴槽５側）に風呂循環往口４４と風呂循環戻口４５とが設けられている。風呂循環往口４４と風呂循環戻口４５とは、浴槽５に設けられる風呂温水出入口５３と接続されており、浴槽５とともに浴槽循環路４３を形成している。これにより、利用者は、浴槽５内の温湯を追い焚きしたいときに追い焚き循環路４７と浴槽循環路４３との温湯を循環させ、貯湯タンク３１内の温湯と浴槽５内の温湯とを熱交換させることにより、浴槽５内の温湯を温めることができる。
【００３６】
そして、追い焚き運転の際には、熱交循環ポンプＰ３が駆動することで、貯湯タンク３１内の温湯を、追い焚き出湯口３４から追い焚き循環路４７に取り込んで、追い焚き熱交換器４６に流通させ、浴槽循環路４３を流れる温湯と熱交換させている。
【００３７】
（２）ヒートポンプユニット
ヒートポンプユニット２は、屋外に設置されており、冷媒回路２０を有している。この冷媒回路２０は、圧縮機２１と、熱交換路４９を構成する水熱交換器２２と、電動膨張弁Ｖ１と、蒸発器２３とを順に接続して構成される。すなわち、圧縮機２１と水熱交換器２２とを接続し、水熱交換器２２と電動膨張弁Ｖ１とを接続し、電動膨張弁Ｖ１と蒸発器２３とを接続し、蒸発器２３と圧縮機２１とをアキュムレータ２５を介して接続している。これにより、圧縮機２１が駆動すると、水熱交換器２２において熱交換路４９を流れる水が加熱されることになる。また、この冷媒回路２０は、水熱交換器２２と電動膨張弁Ｖ１との間の冷媒管と、蒸発器２３とアキュムレータ２５との間の冷媒管とを熱交換させる液ガス熱交換器２４を備えている。また、蒸発器２３にはこの蒸発器２３の能力を調整するファン２６が付設されている。
【００３８】
（３）浴室リモコン
本実施形態の給湯装置１は浴室リモコン7を備えている。浴室リモコン7は、表示部７１と入力部７２とスピーカ７３とを有している（図３参照）。表示部７１には、給湯設定温度表示部７１ａ、残湯量表示部７１ｂ、風呂水位表示部７１ｃ、風呂温度表示部７１ｄ、高温流入表示部７１ｅ、お湯張り表示部７１ｆ、追い焚き注意表示部７１ｇ、および追い焚き不可表示部７１ｈがある。入力部７２では、利用者が操作することにより給湯装置に対して各種指令（後述参照）を出したり、各種指令に関する各種設定を行うことができる。スピーカ７３では、入力部７２より各種指令を出した際にその旨を利用者に音声で伝えたり、また、入力部７２により各種指令に関する各種設定を変更した場合にその旨を利用者に音声で伝えたりする。そして、各表示部７１ａ〜７１ｈは、後述する条件により表示されるようになっている。
【００３９】
給湯設定温度表示部７１ａは、給湯管５２から吐出される温湯の設定温度（以下、「温湯吐出設定温度」とする）を表示する。なお、この給湯設定温度表示部７１ａに表示される温湯吐出設定温度は、入力部７２により変更可能である。
【００４０】
残湯量表示部７１ｂは、貯湯タンク内の温湯の量（以下、「残湯量」とする）を５段階で表示可能する。残湯量表示部７１ｂは、残湯５０リットル温度センサＴ４、残湯１００リットル温度センサＴ５、残湯１９０リットル温度センサＴ６、残湯２４０リットル温度センサＴ７、残湯３１０リットル温度センサＴ８、および缶体上温度センサＴ３が検出する貯湯タンク３１内の各層の温湯の温度に基づいて、残湯量が導出され、その残湯量を５段階で表示する。
【００４１】
風呂水位表示部７１ｃは、浴槽の水位設定を１０段階で表示可能である。利用者は入力部７２により浴槽の水位設定を１０段階で設定可能であり、風呂水位表示部７１ｃでは入力部７２により設定された水位設定を表示させることができる。
【００４２】
風呂温度表示部７１ｄは、浴槽中の温湯の設定温度を表示可能である。利用者は入力部７２により浴槽に貯める温湯の設定温度（以下、風呂温度とする）を設定可能であり、風呂温度表示部７１ｄでは入力部により設定された風呂温度を表示する。すなわち、風呂温度表示部７１ｄにより表示される風呂温度は、浴槽に温湯を貯めるお湯張り運転（後述参照）の際に貯められる温湯の設定温度であり、また、浴槽に貯められた温湯を保温する保温運転の際の保温の設定温度である。
【００４３】
高温流入表示部７１ｅは、給湯管５２または風呂温水出入口５３から高温の温湯（５５℃以上の温湯）が吐出される可能性がある場合（後述参照）に、「高温」と表示する。
【００４４】
お湯張り表示部７１ｆは、お湯張り運転または足し湯運転の際に、温湯または水が浴槽に流入していることを表示する。
【００４５】
追い焚き注意表示部７１ｇは、貯湯タンク３１に残湯量が少なく、追い焚き運転を行うとお湯がなくなる場合に「追いだき注意」と表示する。これにより、貯湯タンク３１内に残湯量が少ないときに、追い焚き運転を行ったらお湯がなくなることを利用者に知らせることができる。
【００４６】
追い焚き不可表示部７１ｈは、貯湯タンク３１に残湯量がほとんど無く、追い焚き運転を行うことができない場合に「追い焚き不可」と表示する。これにより、貯湯タンク３１内に追い焚き運転を賄うための残湯量がほとんど無いことを、利用者に知らせることができる。
【００４７】
（４）制御部
本実施形態の給湯装置１は制御部６を備えている。制御部６は、風呂循環ポンプＰ２が駆動すると、浴室リモコン7の高温流入表示部７１ｅに「高温」と表示させる。制御部６は、例えば、ＣＰＵ、メモリ、入出力インターフェースなどを有するマイクロコンピュータを用いて構成される。また、制御部６は、図３に示されるように、浴室リモコン7の制御信号および各種センサＴ１〜Ｔ１０，４０，４２の検出信号を受けることができるように接続されるとともに、これらの制御信号および検出信号に基づいて各種機器２１，２６，６４，６５および弁Ｖ１〜Ｖ５を制御することができるようにされている。
【００４８】
＜ヒートポンプ給湯機の動作＞
（１）ヒートポンプユニットの動作
まず、圧縮機２１を駆動するとともに、循環ポンプＰ１を駆動する。
【００４９】
冷媒回路２０側では、圧縮機２１に吸入された低圧のガス冷媒は、圧縮されて高圧のガス冷媒となる。その後、高圧のガス冷媒は、水熱交換器２２に送られて、循環ポンプＰ１によって供給される未加熱水と熱交換を行って凝縮し、高圧の液冷媒となる。そして、この高圧の液冷媒は、液ガス熱交換器２４に流入し、蒸発器２３において蒸発されたガス冷媒と熱交換を行ってさらに冷却され、過冷却状態になる。そして、過冷却状態になった高圧の液冷媒は、電動膨張弁Ｖ１によって圧縮機２１の吸入圧力近くまで減圧されて低圧の気液二相状態の冷媒となって蒸発器２３に送られ、蒸発器２３においてファン２６によって供給される室外空気と熱交換を行って蒸発して低圧のガス冷媒となる。
【００５０】
そして、低圧のガス冷媒は、液ガス熱交換器２４に流入し、水熱交換器２２において凝縮された液冷媒と熱交換を行ってさらに加熱され、過熱状態になる。この低圧のガス冷媒は、アキュムレータ２５に流入し、アキュムレータ２５に流入した低圧のガス冷媒は、再び、圧縮機２１に吸入される。
【００５１】
（２）貯湯ユニットの動作
（沸き上げ運転）
貯湯タンク３１および加熱循環路３９側では、貯湯タンク３１の底部に設けた取水口３５から貯留水が流出し、これが加熱循環路３９の熱交換路４９を流通する。このように、加熱循環路３９の熱交換路４９を流通する未加熱水が、凝縮器として機能している水熱交換器２２によって加熱され、（沸き上げられ）、三方弁Ｖ２を介して給湯口３６から貯湯タンク３１の上部に返流される。そしてこのような動作を継続して行うことによって、貯湯タンク３１に高温の温湯を供給している。また、三方弁Ｖ２では、沸き上げ温度が所定温度以下である場合に、バイパス運転を行い、所定温度以下の低温の温湯を給湯口３６から貯湯タンク３１に返流させずに返水口３７から貯湯タンク３１に返流させるように切換を行っている。
【００５２】
（給湯制御）
給湯系統５１ｂでは、利用者が設定した温度になるように給湯混合弁Ｖ３において水道水と貯湯タンク３１内の温湯とが混合されて給湯接続口４１から温湯を供給している。
【００５３】
（３）高温表示制御
制御部６は、お湯張り運転、高温足し湯運転、および追い焚き運転であることを判定すると、浴室リモコン7の高温流入表示部７１ｅに、それらの運転中に「高温」と表示させ続ける。以下、お湯張り運転、高温足し湯運転、および追い焚き運転について説明する。なお、制御部６は、上述しているように、お湯張り運転、高温足し湯運転、および追い焚き運転を、風呂循環ポンプＰ２が駆動しているか否かにより判定している。
【００５４】
（お湯張り運転）
また、浴槽湯はり系統５１ａでは、利用者が浴室リモコン7の入力部７２を操作することにより「湯はり指令」を出すと、湯はり電磁弁Ｖ５が開になり浴槽５に温湯が供給される（お湯張り運転）。このとき、湯はり混合弁Ｖ４は、利用者が設定した温度（すなわち風呂温度表示部７１ｄに表示される「風呂温度」）に基づいて混合比率を調整し、水道水と貯湯タンク３１内の温湯とを混合している。そして、風呂水位表示部７１ｃにより表示される浴槽の水位設定に対応する水位まで浴槽に温湯が供給されることになる。なお、「浴槽の水位設定に対応する水位」とは、浴槽を満水にした状態を１０等分した水位を１段階分に対応する水位としており、例えば設定水位が７（すなわち、風呂水位表示部７１ｃの下から７番目までのバーまでが表示されている状態）であるとすると満水状態の１０分の７の水位が設定されていることになる。また、このお湯張り運転の際には、風呂循環ポンプＰ２が駆動する。
【００５５】
（高温足し湯運転）
また、利用者が浴室リモコン7の入力部７２を操作することにより「高温足し湯指令」を出すと、湯はり電磁弁Ｖ５が開になり浴槽５に高温の温湯が供給される（高温足し湯運転）。このとき、湯はり混合弁Ｖ４は、予め設定されている高温足し湯温度（例えば５５℃）に基づいて混合比率を調整し、水道水と貯湯タンク３１内の温湯とを混合している。そして、予め設定されている水量が風呂温水出入口５３から供給される。また、このお湯張り運転の際には、風呂循環ポンプＰ２が駆動する。なお、高温足し湯運転の際に、予め設定されている水量の高温の温湯が風呂温水出入口から供給されるが、その水量は予め設定されていなくとも良く、例えば浴室リモコン7の入力部７２を操作することにより利用者が自由に設定できるようにしても構わない。
【００５６】
（追い焚き運転）
利用者が浴室リモコン7の入力部７２を操作することにより「追い焚き指令」を出すと、熱交循環ポンプＰ３が駆動して追い焚き循環路４７内に貯湯タンク３１内の温湯が循環する。また、同時に、風呂循環ポンプＰ２が駆動して浴槽循環路４３内に浴槽５内の温湯が循環する。そして、追い焚き熱交換器４６により、貯湯タンク３１内の温湯と浴槽５内の温湯とを熱交換させて、浴槽５内の温湯を加熱している。
【００５７】
＜特徴＞
本実施の形態に係る給湯装置１は、浴槽５に風呂温水出入口５３から高温の温湯（５５℃以上の温湯）が供給される可能性がある場合（すなわち、お湯張り運転、高温足し湯運転、または追い焚き運転の場合）を、風呂循環ポンプＰ２が駆動することにより判断し、お湯張り運転、高温足し湯運転、または追い焚き運転の時間中に浴室リモコン7の高温流入表示部７１ｅに「高温」と表示させ続ける。
【００５８】
したがって、利用者は、給湯装置１がお湯張り運転、高温足し湯運転、または追い焚き運転である場合に、風呂温水出入口５３から高温の温湯が供給されていることを常に知ることができる。このため、利用者は、浴室リモコン7の高温流入表示部７１ｅに「高温」と表示され続けている間に風呂温水出入口５３に近づかないようにすることができ、安全に浴槽を利用できる。
【００５９】
＜変形例＞
以上にこの発明の具体的な実施の形態について説明したが、この発明は上記形態に限定されるものではなく、この発明の範囲内で種々変更して実施することができる。
【００６０】
上記実施の形態の給湯装置１では、浴槽５に風呂温水出入口５３から高温の温湯（５５℃以上の温湯）が供給される可能性がある場合（（すなわち、お湯張り運転、高温足し湯運転、または追い焚き運転の場合）に、それらの運転中に浴室リモコン7の高温流入表示部７１ｅに「高温」と表示させ続けたが、これに限らず、浴室リモコン7に備えられるスピーカ７３（図３参照）により報知音を報知させ続けるようにしても構わない。
【００６１】
したがって、利用者は、お湯張り運転、高温足し湯運転、または追い焚き運転の間中に、風呂温水出入口５３から高温の温水が供給される状態であることを聴覚的に判断でき、風呂温水出入口５３に近づくことを防ぐことができる。また、利用者は、お湯張り運転、高温足し湯運転、または追い焚き運転であることを聴覚的に判断できるため、風呂温水出入口５３に近づく可能性があるときに、特に意識しなくとも風呂温水出入口５３から高温の温水が供給される可能性があることを確認することができる。
【産業上の利用可能性】
【００６２】
本発明に係る給湯装置は、利用者が安全に浴槽を利用できるという特徴を有し、所定温度以上の高温水が出ることを利用者に報知する給湯装置等として有用である。
【図面の簡単な説明】
【００６３】
【図１】本実施形態に係る給湯装置の概略図。
【図２】貯湯ユニットの概略図。
【図３】制御部の概略ブロック図。
【図４】浴室リモコンの表示部の概略図。
【符号の説明】
【００６４】
１          給湯装置
７          浴室リモコン
５３          風呂温水出入口（温水供給手段）
７１          表示部
７３          スピーカ（音発生部）
【図１】
0004946835.tif 000002
【図２】
0004946835.tif 000003
【図３】
0004946835.tif 000004
【図４】
0004946835.tif 000005